(57)【要約】      （修正有）【課題】煩雑なユーザ認証の再実行を不要とし、使い勝手を向上させることができる画像処理装置を提供する。【解決手段】ログインしているユーザと異なる他のユーザにより投入されたジョブに対し、削除、変更等のジョブ操作を行う際、当該他のユーザのジョブが選択されたときに、他のユーザに対するログイン画面を表示し、ジョブ操作を選択する。このとき、それまでにログインしていたユーザのログアウト処理が行われ、前記他のユーザのユーザ認証を経てジョブ操作が実行される。ジョブ操作の後は、前記それまでにログインしていたユーザの再ログイン処理を自動的に実行し、当該ユーザがログインしている状態が回復される。【選択図】図５
2008015949.tif 000002
【特許請求の範囲】
【請求項１】
投入されたジョブのいずれかの指定を受け付けるジョブ指定受付手段と、
指定されたジョブに対する操作の指定を受け付けるジョブ操作受付手段と、
指定されたジョブ操作を実行するためにユーザ認証を要する場合に、ユーザ認証入力を受け付けるユーザ認証入力受付手段と、
ユーザ認証入力を受け付け、当該ユーザのログインを許可する場合に、当該他のユーザのログアウト処理を実行するログアウト手段と、
前記ジョブ操作が終了した後、前記他のユーザがログインした状態を回復する自動再ログイン手段とを備える
ことを特徴とする画像処理装置。
【請求項２】
前記画像処理装置は、
前記ログアウト手段によりログアウト処理が実行される際に、それまでに認証を経てログインしていた他のユーザの情報を退避するユーザ情報退避手段を備え、
前記自動再ログイン手段は、
退避された他のユーザの情報を用いて当該他のユーザがログインした状態を回復する
ことを特徴とする請求項１に記載の画像処理装置。
【請求項３】
前記ジョブ操作が終了した後、ジョブ操作を実行したユーザのログアウト処理を行う自動ログアウト手段を備える
ことを特徴とする請求項１又は２に記載の画像処理装置。
【請求項４】
ユーザ認証を要するジョブ操作は、
ジョブの削除、ジョブの変更のいずれかである
ことを特徴とする請求項１から３のいずれかに記載の画像処理装置。
【発明の詳細な説明】
【技術分野】
【０００１】
本発明は、画像処理装置に関し、特にユーザ認証を行う機能を備える画像処理装置に関する。
【背景技術】
【０００２】
近年の画像処理装置では、セキュリティ向上のため、ユーザ認証を行うものが増えている。ユーザ認証を行う場合、画像処理装置にログインする際に、例えばユーザＩＤと、認証情報としてのパスワードを入力し、予め登録された認証情報と一致する場合にユーザのログインを許可する。
【０００３】
ＰＣ（パーソナル・コンピュータ）等の外部装置からプリント要求などの画像処理ジョブを投入する際に、上記のユーザＩＤ及び認証情報を入力して投入することができる。このようにユーザＩＤ及び認証情報を指定してジョブを投入した後、画像形成装置側で当該ジョブを削除、変更等するために電子メールを利用する技術が特許文献１に開示されている。
【０００４】
例えば削除されるべきジョブが実行されてしまうと、記録紙等の資源の無駄遣いとなる可能性もあるため、削除処理は速やかになされる必要があり、上記特許文献１の技術のように携帯端末を用いるよりも、画像処理装置から操作する方が迅速性の点において好ましい場合がある。
【０００５】
しかしながら、上記のように認証情報を指定して投入されたジョブを誰でも削除等することができるのは好ましくないため、ジョブの削除等のためには、上記のユーザ認証を経て画像処理装置にログインする必要がある。ここで、他のユーザが画像処理装置にログインして作業をしている際に、ジョブを削除したいユーザが削除処理を行うためには、ログインしている前記他のユーザが一旦ログアウトし、ジョブを削除するユーザが改めてログインする必要がある。
【０００６】
【特許文献１】特開２００５−２２２２１３号公報
【発明の開示】
【発明が解決しようとする課題】
【０００７】
上記のように、作業中のユーザのログアウトの後、ジョブを削除するユーザがログインする場合、ログアウトの手間のため、迅速なジョブの削除ができない場合がある。また、前記作業中のユーザは、他のユーザがジョブを削除してログアウトした後、再度ログインしなおす必要があり、再度のユーザ認証が煩雑になるという問題点を有していた。
【０００８】
本発明は、上記のような問題点に鑑みてなされたものであって、煩雑なユーザ認証の再実行を不要とし、使い勝手を向上させることができる画像処理装置を提供することを目的としている。
【課題を解決するための手段】
【０００９】
上記の問題点を解決するために、本発明に係る画像処理装置は、投入されたジョブのいずれかの指定を受け付けるジョブ指定受付手段と、指定されたジョブに対する操作の指定を受け付けるジョブ操作受付手段と、指定されたジョブ操作を実行するためにユーザ認証を要する場合に、ユーザ認証入力を受け付けるユーザ認証入力受付手段と、ユーザ認証入力を受け付け、当該ユーザのログインを許可する場合に、当該他のユーザのログアウト処理を実行するログアウト手段と、前記ジョブ操作が終了した後、前記他のユーザがログインした状態を回復する自動再ログイン手段とを備えることを特徴としている。
【００１０】
本発明の構成では、ジョブ操作が終了した後、他のユーザがログインした状態を回復する構成としているので、煩雑なユーザ認証の再実行が不要となり、もってユーザの使い勝手を向上させることができる。
【００１１】
前記画像処理装置は、前記ログアウト手段によりログアウト処理が実行される際に、それまでに認証を経てログインしていた他のユーザの情報を退避するユーザ情報退避手段を備え、前記自動再ログイン手段は、退避された他のユーザの情報を用いて当該他のユーザがログインした状態を回復する構成とすることができる。
【００１２】
前記ジョブ操作が終了した後、ジョブ操作を実行したユーザのログアウト処理を行う自動ログアウト手段を備えることもできる。ここで、ユーザ認証を要するジョブ操作は、ジョブの削除、ジョブの変更のいずれかである構成とすることができる。ジョブの変更としては、モードの変更、ジョブの優先順位の変更、プリント条件の変更などがある。
【発明の効果】
【００１３】
本発明に係る画像処理装置等によると、煩雑なユーザ認証の再実行が不要となり、使い勝手を向上させることができるという効果を奏する。
【発明を実施するための最良の形態】
【００１４】
以下、本発明の実施の形態について図面を参照して説明する。
（実施の形態１）
（１）プリントシステムの構成
図１は、本実施の形態のプリントシステムの全体的な構成の一例を示す図である。プリントシステムは、ＭＦＰ（マルチファンクション・ペリフェラル）１００及びＰＣ（パーソナル・コンピュータ）３１が、ＬＡＮ（ローカル・エリア・ネットワーク）５００を介して接続されて構成される。
【００１５】
ＰＣ３１には、プリンタドライバがインストールされており、ＭＦＰ１００にプリントを指示する。ＭＦＰ１００は、プリントを指示される画像形成装置の一例である。ＭＦＰ１００は、コピー、ネットワークプリンティング、スキャナ、ＦＡＸ、またはドキュメントサーバなどの機能を集約した画像形成装置である。複合機などと呼ばれることもある。
【００１６】
ＬＡＮ５００は、ＰＣと画像形成装置との間の接続形態の一例であり、有線でも、無線でも良い。なお、ＬＡＮ５００へのＰＣ、画像形成装置の接続台数は任意である。
【００１７】
（２）ＭＦＰ１００の構成
図２は、ＭＦＰ１００のハードウェア構成の一例を示すブロック図である。また、図３は、ＭＦＰ１００の外観の一例を示す図である。図２に示されるようにＭＦＰ１００は、操作部１１、ディスプレイ部１２、スキャナ部１３、プリンタ部１４、通信インタフェース１６、ドキュメントフィーダ１７、給紙装置１８、ＣＰＵ２０、ＲＯＭ２１、ＲＡＭ２２、およびハードディスク２３などによって構成される。
【００１８】
操作部１１は、数字などを入力するための複数のキーやボタン、押下されたキーやボタンを認識するセンサ、および認識したキーやボタンを示す信号をＣＰＵ２０に送信する送信用回路などによって構成される。ディスプレイ部１２は、ユーザに対してメッセージを表示する画面、ユーザが設定内容や処理内容を入力するための画面などを表示する。本実施の形態ではディスプレイ部１２にタッチパネルが用いられており、これは操作部１１に含まれる。タッチパネルは、ユーザが指で触れたタッチパネル上の位置を検知し、検知結果を示す信号をＣＰＵ２０に送信する機能を備えている。
【００１９】
図４は、操作部１１及びディスプレイ部１２の外観の一例を示す図である。操作部１１には、スタートボタン３０１、テンキー３０２、クリアキー３０３、ストップボタン３０４、パネルリセットボタン３０５、コピーボタン３０６、スキャンボタン３０７、ＦＡＸボタン３０８、認証ボタン３０９が配されている。
【００２０】
スタートボタン３０１は、コピー、ＦＡＸ送信等の動作を開始させる際に用いられる。テンキー３０２は、コピー枚数等の数値を入力する際に用いられる。クリアキー３０３は、入力された数値のクリア等に用いる。ストップボタン３０４は、コピー、スキャン動作などの停止を指示する際に用いられる。パネルリセットボタン３０５は、設定されている動作モードをキャンセルし、ディスプレイ部１２の表示を初期画面に戻す場合に用いられる。
【００２１】
コピーボタン３０６、スキャンボタン３０７、ＦＡＸボタン３０８は、ＭＦＰ１００をコピー、スキャン、ＦＡＸのいずれの動作モードで動作させるかを設定するための選択ボタンである。コピーボタン３０６を押下した場合、ＭＦＰ１００は複写機として使用可能となる。
【００２２】
スキャンボタン３０７を押下した場合、ＭＦＰ１００はスキャナとして使用可能となる。ＦＡＸボタン３０８を押下した場合、ＭＦＰ１００はＦＡＸ送信機として使用可能となる。なお、コピーボタン３０６、スキャンボタン３０７、ＦＡＸボタン３０８は、いずれか一つを選択すると、自動的に他のボタンは非選択状態となる。
【００２３】
認証ボタン３０９を押下した場合、ディスプレイ部１２にユーザ認証のためのユーザＩＤ、及び認証情報としてのパスワードの入力画面が表示される。ユーザが入力したユーザＩＤ及びパスワードが、予め登録されているものと合致する場合に、ＭＦＰ１００へのログインが許可される。
【００２４】
本実施の形態では、ディスプレイ部１２の左側部分に、投入ジョブ一覧表示領域１２１が設けられる。投入ジョブ一覧表示領域には、ＭＦＰ１００において投入されたジョブ、及びＰＣ３１等の外部装置から投入されたジョブの一覧が表示される。投入ジョブ一覧表示領域１２１には、ジョブに付与された番号、ジョブを投入したユーザのユーザＩＤ、及びジョブの状態が表示される。実行が終了したジョブは、投入ジョブ表示領域１２１からは消去される。
【００２５】
ユーザは、投入したジョブの削除や変更（例えば設定された部数、用紙サイズ等の変更）を行うために、一覧表示されたジョブを選択することができる。選択された場合の処理の詳細については後に詳細に説明する。
【００２６】
図２、図３に戻り、スキャナ部１３は、原稿に光を照射して反射光を検出することにより、原稿に描かれている画像を読み取り、デジタルの画像データ（ここでは、ＲＧＢまたはブラックの濃度を表す濃度データ）を生成する。このようにして得られた画像データは、プリンタ部１４において印刷のために用いられるほか、ＴＩＦＦ、ＰＤＦ、ＪＰＥＧなどのフォーマットのファイルに変換されてハードディスク２３に記憶される。ＦＡＸデータに変換されてＦＡＸ送信に供されることもある。ドキュメントフィーダ１７は、ＭＦＰ１００の本体の上部に設けられており、１枚または複数枚の原稿をスキャナ部１３に順次送るために用いられる。
【００２７】
プリンタ部１４は、スキャナ部１３にて読み取られた画像、ＬＡＮ５００等のネットワークを介して接続されたＰＣ３１等の外部装置から送信されてきたデータの画像、またはＦＡＸ受信したＦＡＸデータの画像を、用紙またはフイルムなどの記録シートに印刷する。給紙装置１８は、ＭＦＰ１００本体の下部に設けられており、印刷対象の画像に適した記録シートをプリンタ部１４に供給するために用いられる。プリンタ部１４によって画像が印刷された記録シートはトレイ１９（図３参照）に排出される。
【００２８】
通信インタフェース１６は、ＰＣ等の外部装置とネットワークを介して通信を行ったり、電話回線を通じてＦＡＸ送受信等を行うための装置である。通信インタフェース１６として、ＮＩＣ（ネットワーク・インタフェース・カード）、モデム、ＴＡ（ターミナル・アダプタ）などが用いられる。
【００２９】
ＲＯＭ２１には、画像の読取（スキャン）、原稿の複写（コピー）、ＦＡＸデータの送受信、ネットワークプリンティング、およびドキュメントサーバ（ボックス機能）などのＭＦＰ１００の基本機能を実現するためのプログラム、データが記憶されている。そのほか、本実施の形態の機能を実現するプログラムおよびデータが記憶されている。
【００３０】
これらのプログラムまたはデータの一部または全部を、ハードディスク２３にインストールしておいてもよい。この場合は、ハードディスク２３にインストールされているプログラムまたはデータは、必要に応じてＲＡＭ２２にロードされる。本実施の形態で説明する機能は、必ずしもＣＰＵ２０だけでなくＤＳＰ（デジタル・シグナル・プロセッサ）やＡＳＩＣ（特定用途ＩＣ）などの専用ハードウェアを利用して実現する場合もあり得る。また、オペレーティングシステム（ＯＳ）等の汎用プログラムの機能を利用して実現する場合もあり得る。
【００３１】
（３）ＭＦＰ１００の処理内容
以下、本実施の形態において、投入されたジョブが選択された場合のＭＦＰ１００の処理内容の詳細について説明する。図５は、ＭＦＰ１００の処理内容の一例について説明するためのフローチャートである。
【００３２】
投入ジョブ一覧表示領域１２１に一覧表示されたジョブのいずれかが選択された場合（Ｓ１０１：ＹＥＳ）、ユーザ認証設定がされているか否かを判定する（Ｓ１０２）。ここでのユーザ認証設定の有無は、ジョブにユーザＩＤ及びパスワードが設定されているか否かで判別する。
【００３３】
ユーザ認証設定が無しの場合には（Ｓ１０２：ＮＯ）、ユーザ認証を行わなくても選択されたジョブの削除、変更が可能であるから、一定時間内に入力があれば（Ｓ１０３：ＮＯ）、削除、変更の指定を促す表示を行い（Ｓ１０４）、選択に従ってジョブの削除、変更の処理を実行する（Ｓ１０５）。ここで、ジョブの変更とは、例えばモノクロモードからカラーモードへの変更（モードの変更）、ジョブの優先順位の設定変更、用紙サイズ、部数等のプリント条件の変更などが考えられる。
【００３４】
図６に、この場合のジョブの削除、選択を促す表示の一例を示す。同図の例では、ジョブ番号００４のジョブが選択された場合の例であり、ジョブ番号００４のジョブにユーザＩＤ等の設定が無いことから、ジョブの削除、変更を行う際にもユーザ認証が不要である。従って、ジョブの削除、変更の選択を促す領域１２２を表示し、削除、変更の選択を促す。ユーザは、「削除」又は「変更」のいずれかを選択して押下することにより、ジョブの削除、変更を実行することができる。
【００３５】
なお、ステップＳ１０３において一定時間入力がない場合は（Ｓ１０３：ＹＥＳ）、そのまま処理を終了する。その結果、一覧表示されたジョブがそのまま順次実行される。この際に、ジョブの選択を解除するようにしてもよい。
【００３６】
ステップＳ１０２でユーザ認証設定がされている場合（Ｓ１０２：ＹＥＳ）、選択されたジョブのユーザと別のユーザがログインしているか否かを判定する（Ｓ１０６）。図７は、この場合のディスプレイ部１２の表示の一例を示す図である。図４に示されるように「Ｕｓｅｒ  Ａ」がログインしているときに、「Ｕｓｅｒ  Ｃ」から投入されたジョブ番号００４のジョブが選択されたとすると（Ｓ１０６：ＹＥＳ）、「Ｕｓｅｒ  Ａ」のユーザ情報をＲＡＭ２２に退避する（Ｓ１０７）。
【００３７】
そして、自動的に「Ｕｓｅｒ  Ａ」のログアウト処理を行い（Ｓ１０８）、図７に示すログイン画面を表示する（Ｓ１０９）。この画面で「Ｕｓｅｒ  Ｃ」のパスワードが入力され、「ログイン」ボタンが押下されると、削除、変更の選択画面が表示され、ユーザＣは削除又は変更を選択することができる。
【００３８】
なお、他のユーザがログインしていない場合には（Ｓ１０６：ＮＯ）、ステップＳ１０９へと進み、図７のログイン画面を表示する。一定時間入力が無い場合には（Ｓ１１０：ＹＥＳ）、ステップＳ１１５へと進む。一定時間内に入力があれば（Ｓ１１０：ＮＯ）、削除、変更の選択に従い（Ｓ１１１）、削除、変更処理を実行する（Ｓ１１２）。
【００３９】
削除、変更処理の後は、自動再ログインの設定がなされているか否かを判定する（Ｓ１１３）。本実施の形態の自動再ログインとは、ジョブを削除、変更しようとする前にログインしており、ジョブを削除等する他のユーザのログインに伴って一旦ログアウトしたユーザが、ジョブの削除、変更を終えた後に自動的に再ログインすることをいう。
【００４０】
自動再ログインを行う設定となっている場合には（Ｓ１１３：ＹＥＳ）、ジョブを削除等したユーザのログアウト処理を行い（Ｓ１１４）、ユーザ情報が記憶されているか否かを判定する（Ｓ１１５）。ユーザ情報とは、ステップＳ１０７でＲＡＭ２２に退避されている情報である。ユーザ情報が退避されている場合には、当該ユーザ情報を用いて、ユーザの再ログイン処理を実行する（Ｓ１１６）。この自動再ログインの結果、ジョブの削除、変更を行うユーザがログインする前の状態が回復することになる。
【００４１】
なお、本実施の形態では、図７に示したように、ユーザＩＤ及びパスワードを入力し、ログインする際に、削除又は変更を指定するようにしたが、図８に示すように、削除又は変更を指定しながらログインするような構成も可能である。なお、ジョブの選択前にログインしていたユーザ（ここではＵｓｅｒ  Ａ）のログアウト処理（ユーザ情報の退避処理も含む。）は、削除、変更の選択がされた後（図５の例では、ステップＳ１１１の後）に実行することもできる。
【００４２】
（実施の形態２）
次に、本発明の第２の実施の形態について説明する。図９は、本実施の形態におけるＭＦＰ１００の処理内容の一例について説明するためのフローチャートである。第２の実施の形態は、第１の実施の形態とは、ディスプレイ部１２への表示方法が異なるので、以下、異なる点を中心として説明する。
【００４３】
図１０は、本実施の形態の画面表示の一例を示す図である。同図に示されるように、本実施の形態では、投入ジョブ一覧表示領域１２１に表示されたジョブのいずれかが選択された場合に、ジョブの削除、変更のいずれかの選択を促す画面を表示する（図９のＳ２０９）。
【００４４】
削除、変更のいずれかのジョブ操作が選択された場合に、ジョブ操作を行うユーザのログイン画面を表示し（Ｓ２１０）、一定時間内に入力があった場合に（Ｓ２１１：ＮＯ）、削除又は変更処理を実行する（Ｓ２１２）。以降の処理は第１の実施の形態と同様であり、ジョブ操作を行う前にログインしていたユーザの自動再ログイン処理を実行する。ステップＳ２０６からＳ２０８までの処理は、ジョブ操作を行うユーザのログイン処理が正常に終了した後に実行するようにしても良い点も第１の実施の形態と同様である。
【００４５】
（実施の形態３）
次に、本発明の第３の実施の形態について説明する。図１１は、本実施の形態におけるＭＦＰ１００の処理内容の一例について説明するためのフローチャートである。第３の実施の形態も、第１の実施の形態とは、ディスプレイ部１２への表示方法が異なるので、以下、異なる点を中心として説明する。
【００４６】
図１２は、本実施の形態の画面表示の一例を示す図である。同図に示されるように、本実施の形態では、上記第１、第２の実施の形態では投入ジョブ一覧が表示されていた領域にジョブ操作（ジョブの削除、又は変更）を指定する画面を表示するジョブ操作選択領域１２４を設ける。
【００４７】
そして、ジョブ操作のいずれかが選択された場合（図１１のＳ３０１：ＹＥＳ）、ユーザ認証設定の有無を判定する（Ｓ３０２）。ユーザ認証設定がされていない場合には、ジョブ一覧画面を表示する。図１２は、ここで表示されるジョブ一覧の形態の一例を示す図である。
【００４８】
図１２のジョブ一覧表示領域１２５では、削除又は変更のジョブ操作の対象とするジョブを選択することが可能であり、選択に従い（Ｓ３０５）、削除、変更処理を実行する（Ｓ３０６）。
【００４９】
ステップＳ３０２でユーザ認証設定がされている場合には、第１の実施の形態と同様の処理（Ｓ３０７〜Ｓ３０９）の後、ログイン画面を表示する（Ｓ３１０）。図１３は、ログイン画面及びジョブ一覧領域が表示された形態の一例を示す図である。
【００５０】
一定時間内に入力があった場合に（Ｓ３１１：ＮＯ）、ジョブ一覧からのジョブの選択（Ｓ３１２）、及び削除又は変更処理を実行する（Ｓ３１３）。以降の処理は第１の実施の形態と同様であり、ジョブ操作を行う前にログインしていたユーザの自動再ログイン処理を実行する。ステップＳ３０７からＳ３０９までの処理を、ジョブ操作を行うユーザのログイン処理が正常に終了した後に実行するようにしても良い点は第１の実施の形態と同様である。
【００５１】
なお、図１３のように、本実施の形態でユーザのログインを経てジョブ一覧を表示する場合、図１４に示すように、ログインしたユーザのユーザＩＤが設定されたジョブのみを表示する形態とすることが好ましい。この場合、ユーザＩＤに変えて、ジョブの種別（プリント、スキャン、コピー、ＦＡＸ送信等）を表示することもできる。
【００５２】
（実施の形態４）
次に、本発明の第４の実施の形態について説明する。図１５は、本実施の形態におけるＭＦＰ１００の処理内容の一例について説明するためのフローチャートである。第４の実施の形態は、第３の実施の形態とディスプレイ部１２への表示方法が異なるので、以下、異なる点を中心として説明する。
【００５３】
図１６は、本実施の形態の画面表示の一例を示す図である。同図に示されるように、本実施の形態では、上記第３の実施の形態ではと同様のジョブ操作選択領域１２４でジョブ操作（ジョブの削除、又は変更）が指定された場合に、まずジョブ一覧画面を表示する。
【００５４】
そして、ジョブのいずれかが選択された場合（図１５のＳ４１１：ＮＯ）、ログイン画面を表示する（Ｓ４１２）。図１６は、本実施の形態で、ログイン画面及びジョブ一覧領域が表示された形態の一例を示す図である。
【００５５】
以降の処理は第３の実施の形態と同様であり、ジョブ操作を行う前にログインしていたユーザの自動再ログイン処理を実行する。ステップＳ４０７からＳ４０９までの処理は、ジョブ操作を行うユーザのログイン処理が正常に終了した後に実行するようにしても良い。
【００５６】
（変形例）
以上、本発明の実施の形態について説明したが、本発明の内容が上記実施の形態において説明された具体例によって限定されないことは勿論であり、例えば、以下のような変形例を実施することもできる。
【００５７】
（１）上記各実施の形態では、ジョブやジョブ操作が選択された場合のログイン画面、ジョブ一覧表示など、各々のウィンドウを新規に表示するようにしたが、例えば図１７に一例を示すように、メッセージ表示領域１２６にメッセージを表示するとともに、領域１２７にジョブ一覧やログイン画面を表示するような構成も可能である。
【００５８】
（２）ユーザ認証のためのログイン画面ではパスワードのみを入力するようにしても良い。また、認証情報はパスワードに限定されず、指紋、静脈等の生体認証情報や、カード、バーコード、地紋、ＩＣタグ、ＵＳＢメモリなどから読み取る構成としてもよい。上記各種認証情報の組み合わせとすることも可能である。
【産業上の利用可能性】
【００５９】
本発明は、例えば、ＭＦＰ等の画像処理装置に適用することができる。
【図面の簡単な説明】
【００６０】
【図１】第１の実施の形態の画像形成システムの全体的な構成の一例を示す図である。
【図２】ＭＦＰ１００の外観の一例を示す図である。
【図３】ＭＦＰ１００におけるハードウェア構成の一例を示す図である。
【図４】操作部１１及びディスプレイ部１２の外観の一例を示す図である。
【図５】第１の実施の形態におけるＭＦＰ１００の処理内容の一例について説明するためのフローチャートである。
【図６】第１の実施の形態においてジョブの削除、選択を促す表示の一例を示す図である。
【図７】第１の実施の形態において、ユーザ認証設定がされている場合のディスプレイ部１２の表示の一例を示す図である。
【図８】削除又は変更を指定しながらログインする場合のディスプレイ部１２の表示の一例を示す図である。
【図９】第２の実施の形態におけるＭＦＰ１００の処理内容の一例について説明するためのフローチャートである。
【図１０】第２の実施の形態の画面表示の一例を示す図である。
【図１１】第３の実施の形態におけるＭＦＰ１００の処理内容の一例について説明するためのフローチャートである。
【図１２】第３の実施の形態の画面表示の一例を示す図である。
【図１３】第３の実施の形態において、ログイン画面及びジョブ一覧領域が表示された形態の一例を示す図である。
【図１４】第３の実施の形態において、ログインしたユーザのユーザＩＤが設定されたジョブのみを表示する形態とする場合の一例を示す図である。
【図１５】第４の実施の形態におけるＭＦＰ１００の処理内容の一例について説明するためのフローチャートである。
【図１６】第４の実施の形態の画面表示の一例を示す図である。
【図１７】本発明の変形例における画面表示の一例を示す図である。
【符号の説明】
【００６１】
１１                      操作部
１２                      ディスプレイ部
１３                      スキャナ部
１４                      プリンタ部
１６                      通信インタフェース
１７                      ドキュメントフィーダ
１８                      給紙装置
１９                      トレイ
２０                      ＣＰＵ
２１                      ＲＯＭ
２２                      ＲＡＭ
２３                      ハードディスクドライブ（ＨＤＤ）
１００                    ＭＦＰ
５００                    ネットワーク（ＬＡＮ）
【図１】
2008015949.tif 000003
【図２】
2008015949.tif 000004
【図３】
2008015949.tif 000005
【図４】
2008015949.tif 000006
【図５】
2008015949.tif 000007
【図６】
2008015949.tif 000008
【図７】
2008015949.tif 000009
【図８】
2008015949.tif 000010
【図９】
2008015949.tif 000011
【図１０】
2008015949.tif 000012
【図１１】
2008015949.tif 000013
【図１２】
2008015949.tif 000014
【図１３】
2008015949.tif 000015
【図１４】
2008015949.tif 000016
【図１５】
2008015949.tif 000017
【図１６】
2008015949.tif 000018
【図１７】
2008015949.tif 000019